(57)【特許請求の範囲】
【請求項１】
カーテン本体と、カーテン本体の上縁に沿って横方向に縫着されるフック取付け用のテープと、このテープに横方向に所定の相互間隔をおいて取り付けられる複数のフックとを具備し、
前記テープは、横方向に長いテープ基体と、このテープ基体のカーテンへの接合面と反対の面上に横方向に所定の相互間隔をおいて設けられた複数のポケット片とを備え、
このポケット片は、左右両側縁が縦方向に前記テープ基体に融合して閉じ、上下の両側縁がテープ基体に対して自由に開放して、テープ基体との間に上下が開放したポケット部を形成しており、
前記ポケット片とテープ基体との融合部の延長途上に両側のポケット部間を連通する貫通口が形成され、
前記融合部の側部には、前記貫通口を貫通した前記フックの上部を挟んで横振れを防止するようにポケット片とテープ基体とが融合した副融合部が形成されており、
前記フックは、一の前記ポケット部に挿入するために縦方向に伸びる挿入杆部と、カーテンランナに掛け止めるために挿入杆部の上部に連続し、下方へ折り返された引掛部と、前記融合部の下縁に掛けるために挿入杆部の下端でＵ字状に上方へ折り返された係止部とが、ほぼ同一平面上に並ぶように一体に形成され、かつ前記融合部の貫通口を貫通して隣接ポケット部間にわたり、挿入杆部、引掛部及び係止部がテープ基体の面と平行にテープに装着され、
前記引掛部は、当該ポケット部の上縁を超えてポケット片上に露出させ、あるいは前記副融合部の上縁に掛けた状態でポケット部内に収納するように構成されていることを特徴とするカーテン。
【請求項２】
前記融合部の下縁がポケット片の下縁より上部に位置すると共に、前記副融合部の上縁がポケット片の上縁より下部に位置して、前記フックの装着位置の上下端部に非融合部が夫々形成され、
前記フックは、係止部が下側の非融合部を通過し、引掛部が上側の非融合部を通過して隣接ポケット片間にわたっていることを特徴とする請求項１に記載のカーテン。
【発明の詳細な説明】
【０００１】
【発明の属する技術分野】
本発明は、フックを装着したままで洗濯、アイロンかけを支障なく行うことができるカーテンに関するものである。
【０００２】
【従来の技術】
カーテン本体と、カーテン本体の上縁に沿って横方向に縫着されるヒル環取付け用のテープと、このテープに横方向に所定の相互間隔をおいて取り付けられる複数のヒル環とを具備するカーテンであって、ヒル環を装着したまま洗濯やアイロンかけを支障なく行うことができるものが、特公昭６０−４９４８９号の公報に記載されている。
【０００３】
このカーテンは、ヒル環をカーテン面と平行になるようにテープ上に取り付け、カーテン本体の上縁部をヒル環上へ折り返して、折返し部の上下縁をカーテン本体に縫い付け、ヒル環の引掛部の先端部を折返し部の端縁から一部露出させるようにしたものである。
【０００４】
【発明が解決しようとする課題】
上記従来のカーテンにおいては、ヒル環のテープ上への取付け、またカーテン本体上縁部の折返し縫い付け作業が容易でない難点がある。
従って、本発明は、フックを装着したままで洗濯、アイロンかけを支障なく行うことができるカーテンであって、カーテン本体上縁部の面倒な折返し縫合作業が不要で、フックのテープ上への取付けが容易で、確実なものを提供することを課題としている。
【０００５】
【課題を解決するための手段】
第１の発明においては、カーテン本体２と、カーテン本体２の上縁に沿って横方向に縫着されるフック取付け用のテープ３と、このテープ３に横方向に所定の相互間隔をおいて取り付けられる複数のフック４とを具備させてカーテン１を構成する。テープ３には、横方向に長いテープ基体５と、このテープ基体５のカーテン１への接合面と反対の面上に横方向に所定の相互間隔をおいて取り付けられた複数のポケット片６とを具備させる。ポケット片６の左右両側縁を縦方向にテープ基体５に融合させて閉じ、上下の両側縁をテープ基体５に対して自由に開放して、ポケット部７を形成する。ポケット片６とテープ基体５との融合部８の延長途上には両側のポケット部間を連通する貫通口８ａを形成する。融合部８の側部には、ポケット片６とテープ基体５とを融合させた副融合部１０を形成し、貫通口８ａを貫通したフック４の上部を融合部８との間に挟んで横振れを防止する。フック４には、ポケット部７に挿入される挿入杆部１１と、ポケット片６とテープ基体５との融合部８の下縁に掛けるために挿入杆部１１の下端で上方へ折り返された係止部１２と、カーテンランナに掛け止めるために挿入杆部１１の上部に連続して下方へ折り返された引掛部１４とをほぼ同一平面上に並ぶように一体に形成する。このフック４は、融合部８の上縁に引掛部１４を掛け、融合部８の下縁に係止部１２を掛けてテープ基体５の面と平行になるようにテープ３に装着する。カーテン１をランナに掛けるときは、フック４の引掛部１４を、ポケット部７の上縁を超えてポケット片６上に露出させる。一方、洗濯時には、引掛部１４をポケット部７内に収納できる。
【０００６】
第２の発明においては、第１の構成を前提に、ポケット片６とテープ基体５との融合部８の下縁をテープ基体５の下縁より上部に配置し、副融合部１０の上縁をテープ基体５の上縁より下部に配置して、フック４の装着位置におけるポケット片６の上下端部に非融合部９を形成した。フック４は、引掛部１４が上部の非融合部９を通過し、係止部１２が下部の非融合部９を通過するので、上下端部がポケット片６から露出せず、またポケット片６の上下縁がフック４に掛かって変形する恐れがない。
【０００７】
【発明の実施の形態】
図面を参照して本発明の実施の形態を説明する。図１はカーテンの正面図、図２は図１におけるII−II断面図、図３はテープの正面図、図４はテープの平面図、図５はフックの正面図、図６，図７は装着過程のテープとフックの正面図である。
【０００８】
図１において、カーテン１は、カーテン本体２の上縁に沿って横方向にフック取付け用のテープ３を縫着し、これに所定間隔でフック４を装着して成る。
【０００９】
図１ないし図４に示すように、テープ３は、横方向に長いテープ基体５と、このテープ基体５のカーテンへの縫着面と反対の面上に横方向に所定の相互間隔をおいて設けられた複数のポケット片６とを備える。テープ基体５とポケット片６とは、編物又は織物にて一体に構成することができる。
【００１０】
ポケット片６は、左右両側縁が縦方向にテープ基体５に融合して閉じ、上下の両縁がテープ基体５に対して自由に開放して、テープ基体５との間に上下が開放したポケット部７を形成している。ポケット片６とテープ基体５との融合部８は、ポケット片６の縦方向の幅より短く形成され、従って、ポケット片６の縦方向の縁の下端部に非融合部９が形成されている。また、融合部８の中間部やや上側には、貫通口８ａが形成されている。融合部８の右側上部には、ポケット片６とテープ基体５とを融合する副融合部１０が融合部８と間隔を置いて縦方向に形成されている。副融合部１０の上縁はポケット片６の上縁より下部に形成されており、従って、副融合部１０の上部にも非融合部９が形成されている。
【００１１】
図５に示すように、フック４は、金属線材を同一平面上で屈曲して成り、縦方向に伸びる挿入杆部１１と、その下端でＵ字状に屈曲して縦方向に伸びる係止部１２と、挿入杆部１１の上部に連続してわずかに屈曲して斜め上方へ伸びる貫通部１３と、貫通部１３の上部に連続する引掛部１４とを具備する。挿入杆部１１は、上方又は下方からポケット部７内に挿入するためのものである。係止部１２は、挿入杆部１１の下端をテープ３の融合部８の下縁に掛け止めるためのものである。引掛部１４は、図示しないカーテンランナに掛け止めるためのものである。
【００１２】
そして、フック４は、挿入杆部１１と係止部１２との間に融合部８を挾み、融合部８の下縁に係止部１２を掛けると共に、副融合部１０の上縁に引掛部１４を掛けて抜け止めするようにテープ基体５と平行にテープ３に装着される。フック４は、係止部１２が非融合部９を通過して隣接ポケット部７，７間に跨っている。カーテン１をランナに吊るときには、図３中の右側のフック４のように、引掛部１４を、当該ポケット部７の上縁を超えてポケット片６上に露出させる。洗濯時には、図３中の左側のフック４のように、引掛部１４をポケット部７内に収納する。こうすれば洗濯時にフック４同士が絡み合ったり、アイロン掛けの邪魔になることがない。引掛部１４の収納、露出は容易である。フック４は、引掛部１４の収納状態において、係止部１２及び引掛部１４が非融合部９を通過するので、ポケット部７内にほぼ完全に隠れる。フック４の装着は例えば図６及び図７に示すように行う。即ち、図６に示すように、まず引掛部１４の先端を貫通口８ａに挿入し、さらに副融合部１０を越えてその上縁に係止する。そして、図７に示すように、歪んだ融合部８を挿入杆部１１と係止部１２との間に配置するように整形すれば、係止部１２に融合部８の下縁が係止する。従って、フック４はその上下が係止されるので、容易にテープ３から脱落することがない。また、引掛部１４をポケット片６上に露出させれば、副融合部１０との係止が解かれるが、融合部８と副融合部１０との間に引掛部１４が挟まれるので、フック４がポケット部７の上縁に沿って揺動することなく保持され、ランナへの装着時の煩わしさを軽減する。
【００１３】
なお、融合部８と副融合部１０との間隔や貫通口８ａを拡げれば、ポケット片６の上部から係止部１２の先端を先に通してフックを装着することもできる。
【００１４】
【発明の効果】
以上のように、本発明においては、カーテン本体２と、カーテン本体２の上縁に沿って横方向に縫着されるフック取付け用のテープ３と、このテープ３に横方向に所定の相互間隔をおいて取り付けられる複数のフック４とを具備させてカーテン１を構成する。テープ３には、横方向に長いテープ基体５と、このテープ基体５のカーテン１への接合面と反対の面上に横方向に所定の相互間隔をおいて取り付けられた複数のポケット片６とを具備させる。ポケット片６の左右両側縁を縦方向にテープ基体５に融合させて閉じ、上下の両側縁をテープ基体５に対して自由に開放して、ポケット部７を形成する。フック４には、ポケット部７に挿入される挿入杆部１１と、ポケット片６とテープ基体５との融合部８の下縁に掛けるために挿入杆部１１の下端で上方へ折り返された係止部１２と、カーテンランナに掛け止めるために挿入杆部１１の上部に連続して下方へ折り返された引掛部１４とをほぼ同一平面上に並ぶように一体に形成する。このフック４は、融合部８の上縁に引掛部１４を掛け、融合部８の下縁に係止部１２を掛けてテープ基体５の面と平行になるようにテープ３に装着する。カーテン１をランナに掛けるときは、フック４の引掛部１４を、ポケット部７の上縁を超えてポケット片６上に露出させる。一方、洗濯時には、引掛部１４をポケット部７内に収納できる。このため、フックを装着したままで洗濯、アイロンかけを支障なく行うことができ、カーテン本体上縁部の面倒な折返し縫合作業が不要で、フックをテープ上へ容易に取り付けることができ、しかもフックがテープから確実に抜け止めされるし、フック４の引掛部１４をポケット部７から露出させてもフックの横振れがなく、ランナへの装着時の煩わしさを軽減することができる。
【図面の簡単な説明】
【図１】カーテンの正面図である。
【図２】図１におけるII−II断面図である。
【図３】テープの正面図である。
【図４】テープの平面図である。
【図５】フックの正面図である。
【図６】フックの装着方法を示す説明図である。
【図７】フックの装着方法を示す説明図である。
【符号の説明】
１    カーテン
２    カーテン本体
３    テープ
４    フック
５    テープ基体
６    ポケット片
７    ポケット部
８    融合部
１０    副融合部
１１    挿入杆部
１２    係止部
１４    引掛部
【図１】
0003543291.tif 000002
【図２】
0003543291.tif 000003
【図３】
0003543291.tif 000004
【図４】
0003543291.tif 000005
【図５】
0003543291.tif 000006
【図６】
0003543291.tif 000007
【図７】
0003543291.tif 000008